(57)【要約】【課題】相関二重サンプリングを行っても消費電力を低減できる撮像装置を実現する。【解決手段】ＣＣＤ３０から与えられたアナログ映像信号をパルス信号ＤＳ１のタイミングでサンプルホールド回路５３ａがホールドし、パルス信号ＤＳ２のタイミングでサンプルホールド回路５３ｂがホールドする。ここで、垂直帰線期間及び水平帰線期間、及び垂直転送期間には、パルス信号ＤＳ１，ＤＳ２のタイミングを、増幅回路５１の消費電力が最小となるようなタイミングに設定することで、撮像装置の消費電力を低減できる。【選択図】図２
2011004268.tif 000002
【特許請求の範囲】
【請求項１】
撮像素子から駆動期間に応じて出力される信号であって画素単位に該撮像素子から順次出力され、画素に蓄積された電荷の量に応じてレベルが変化するアナログ映像信号を、バイアス電流を用いて増幅する増幅手段と、
第１のパルス信号及び第２のパルス信号を異なるタイミングで出力するタイミング発生手段と、
前記増幅手段の出力するアナログ映像信号を、前記第１のパルス信号が与えられたタイミングでサンプリングして該アナログ映像信号のレベルを保持する第１のサンプルホールド回路と、
前記増幅手段の出力するアナログ映像信号を、前記第２のパルス信号が与えられたタイミングでサンプリングして該アナログ映像信号のレベルを保持する第２のサンプルホールド回路と、
前記第１のサンプルホールド回路で保持されたアナログ映像信号のレベルと前記第２のサンプルホールド回路で保持されたアナログ映像信号のレベルとの差を求める差動手段と、
前記差動手段で求めた差に基づいて前記アナログ映像信号に対応するデジタル映像信号を求めるアナログデジタル変換手段と、
前記駆動期間に応じて、前記第１のパルス信号を前記第１のサンプルホールド回路に与えるタイミング、前記第２のパルス信号を前記第２のサンプルホールド回路に与えるタイミング及び前記バイアス電流を変化させる変更手段と、
を備えることを特徴とする映像信号処理回路。
【請求項２】
前記変更手段の処理により、前記第１のパルス信号と前記第２のパルス信号の間の時間をＴ１とし、その第２のパルス信号とその次の第１のパルス信号との間の時間をＴ２としたときに、Ｔ１：Ｔ２が１：１となる低消費電力の駆動期間が存在することを特徴とする請求項１に記載の映像信号処理回路。
【請求項３】
前記撮像素子は、撮像画像に対応する電荷を画素毎に蓄え、該画素毎の電荷を垂直方向に転送して水平転送路に移し、該水平転送路から画素単位に前記アナログ映像信号として出力することを特徴とする請求項１又は２に記載の映像信号処理回路。
【請求項４】
前記低消費電力の駆動期間には、前記撮像素子が前記画素毎の電荷を垂直方向に転送する期間が含まれることを特徴とする請求項３に記載の映像信号処理回路。
【請求項５】
前記低消費電力の駆動期間には、撮像画像におけるオプティカルブラック領域の画素のアナログ映像信号が前記撮像素子から出力されている期間が含まれることを特徴とする請求項２又は４に記載の映像信号処理回路。
【請求項６】
前記低消費電力の駆動期間には、前記撮像素子が不要なアナログ映像信号を出力する期間が含まれることを特徴とする請求項２乃至５のいずれか１項に記載の映像信号処理回路。
【請求項７】
前記第１のパルス信号を前記第１のサンプルホールド回路に与えるタイミング、前記第２のパルス信号を前記第２のサンプルホールド回路に与えるタイミング及び前記バイアス電流を変化させる変更タイミングを、前記駆動期間の切り替わるタイミングよりも早くしたことを特徴とする請求項１乃至６のいずれか１項に記載の映像信号処理回路。
【請求項８】
請求項１乃至７のいずれか１項に記載の映像信号処理回路と、
アナログデジタル変換手段で得られるデジタル映像信号に対して所定の処理を施し、その処理結果で得られたデータを記録媒体に記録する手段と、
を備える撮像装置。
【請求項９】
撮像素子から駆動期間に応じて出力される信号であって画素単位に該撮像素子から順次出力され、画素に蓄積された電荷の量に応じてレベルが変化するアナログ映像信号を、バイアス電流を用いて増幅する増幅処理と、
第１のパルス信号及び第２のパルス信号を異なるタイミングで生成するタイミング発生処理と、
前記増幅処理で出力するアナログ映像信号を、前記第１のパルス信号が与えられたタイミングでサンプリングして該アナログ映像信号のレベルを保持する第１のサンプルホールド処理と、
前記増幅処理で出力するアナログ映像信号を、前記第２のパルス信号が与えられたタイミングでサンプリングして該アナログ映像信号のレベルを保持する第２のサンプルホールド処理と、
前記第１のサンプルホールド処理で保持されたアナログ映像信号のレベルと前記第２のサンプルホールド処理で保持されたアナログ映像信号のレベルとの差を求める差動処理と、
前記差動処理で求めた差に基づいて前記アナログ映像信号に対応するデジタル映像信号を求めるアナログデジタル変換処理とを含み、
前記駆動期間に応じて、前記第１のパルス信号を生成するタイミング、前記第２のパルス信号を生成するタイミング及び前記バイアス電流を変化させることを特徴とする映像信号処理方法。
【発明の詳細な説明】
【技術分野】
【０００１】
本発明は、映像信号処理回路、撮像装置及び映像信号処理方法に関する。
【背景技術】
【０００２】
デジタルスチルカメラ等の撮像装置には、ＣＣＤ（Charge Coupled Device）やＭＯＳ（Metal Oxide Semiconductor）センサに代表される撮像素子から出力されるアナログ映像信号をデジタル映像信号に変換するアナログ信号処理を行うアナログ信号処理部が搭載されている。
【０００３】
特許文献１は、従来のアナログ信号処理部に関し、ブランキング期間に、アナログ信号処理部への電力供給は継続させたまま、アナログ信号処理部へのクロック信号を停止することにより、アナログ信号処理を停止する第１の技術を提案している。
【０００４】
特許文献１は、又、ブランキング期間に、アナログ信号処理部の一部に供給する電力を遮断することにより、アナログ信号処理を停止する第２の技術も提案している。
これら第１の技術及び第２の技術に基づいてブランキング期間にアナログ信号処理部の機能を停止させるので、装置の消費電力を低減できる。
【先行技術文献】
【特許文献】
【０００５】
【特許文献１】特開２００８−２８９１３６号公報
【発明の概要】
【発明が解決しようとする課題】
【０００６】
前述のように、特許文献１の第１の技術では、ブランキング期間にアナログ信号処理部へのクロック信号を停止してアナログ信号処理を停止するので、消費電力を低減できるが、アナログ信号処理を実施する場合には、消費電力を低減できない。
【０００７】
特許文献１は、又、ブランキング期間に、アナログ信号処理部の一部に供給する電力を遮断することにより、アナログ信号処理を停止するので消費電力を低減できるが、アナログ信号処理を実施する場合には、消費電力を低減できない。
【０００８】
本発明は、アナログ信号処理を実施する場合でも消費電力を低減できる映像信号処理回路、撮像装置及び映像信号処理方法を提供することを目的とする。
【課題を解決するための手段】
【０００９】
上記目的を達成するために、本発明の第１の観点に係る映像信号処理回路は、
撮像素子から駆動期間に応じて出力される信号であって画素単位に該撮像素子から順次出力され、画素に蓄積された電荷の量に応じてレベルが変化するアナログ映像信号を、バイアス電流を用いて増幅する増幅手段と、
第１のパルス信号及び第２のパルス信号を異なるタイミングで出力するタイミング発生手段と、
前記増幅手段の出力するアナログ映像信号を、前記第１のパルス信号が与えられたタイミングでサンプリングして該アナログ映像信号のレベルを保持する第１のサンプルホールド回路と、
前記増幅手段の出力するアナログ映像信号を、前記第２のパルス信号が与えられたタイミングでサンプリングして該アナログ映像信号のレベルを保持する第２のサンプルホールド回路と、
前記第１のサンプルホールド回路で保持されたアナログ映像信号のレベルと前記第２のサンプルホールド回路で保持されたアナログ映像信号のレベルとの差を求める差動手段と、
前記差動手段で求めた差に基づいて前記アナログ映像信号に対応するデジタル映像信号を求めるアナログデジタル変換手段と、
前記駆動期間に応じて、前記第１のパルス信号を前記第１のサンプルホールド回路に与えるタイミング、前記第２のパルス信号を前記第２のサンプルホールド回路に与えるタイミング及び前記バイアス電流を変化させる変更手段と、
を備えることを特徴とする。
【００１０】
上記目的を達成するために、本発明の第２の観点に係る撮像装置は、
本発明の第１の観点に係る映像信号処理回路と、
アナログデジタル変換手段で得られるデジタル映像信号に対して所定の処理を施し、その処理結果で得られたデータを記録媒体に記録する手段と、
を備える。
【００１１】
上記目的を達成するために、本発明の第３の観点に係る映像信号処理方法は、
撮像素子から駆動期間に応じて出力される信号であって画素単位に該撮像素子から順次出力され、画素に蓄積された電荷の量に応じてレベルが変化するアナログ映像信号を、バイアス電流を用いて増幅する増幅処理と、
第１のパルス信号及び第２のパルス信号を異なるタイミングで生成するタイミング発生処理と、
前記増幅処理で出力するアナログ映像信号を、前記第１のパルス信号が与えられたタイミングでサンプリングして該アナログ映像信号のレベルを保持する第１のサンプルホールド処理と、
前記増幅処理で出力するアナログ映像信号を、前記第２のパルス信号が与えられたタイミングでサンプリングして該アナログ映像信号のレベルを保持する第２のサンプルホールド処理と、
前記第１のサンプルホールド処理で保持されたアナログ映像信号のレベルと前記第２のサンプルホールド処理で保持されたアナログ映像信号のレベルとの差を求める差動処理と、
前記差動処理で求めた差に基づいて前記アナログ映像信号に対応するデジタル映像信号を求めるアナログデジタル変換処理とを含み、
前記駆動期間に応じて、前記第１のパルス信号を生成するタイミング、前記第２のパルス信号を生成するタイミング及び前記バイアス電流を変化させることを特徴とする。
【発明の効果】
【００１２】
本発明によれば、アナログ信号処理を実施する場合でも消費電力を低減できる。
【図面の簡単な説明】
【００１３】
【図１】本発明の実施形態に係るデジタルスチルカメラを示す構成図である。
【図２】アナログ信号処理回路の概要を示す構成図である。
【図３】一般的なＣＣＤの画素構造を示す図である。
【図４】１フィールドのタイミングの概要を示す図である。
【図５】ＣＣＤが出力するアナログ映像信号の波形とパルス信号のタイミングの説明図である。
【発明を実施するための形態】
【００１４】
以下、図面に基づき、本発明の実施の形態について詳細に説明する。
図１は、本発明の実施形態に係るデジタルスチルカメラを示す構成図である。
撮像装置としてのデジタルスチルカメラは、装置全体を制御する制御部１０と、レンズ２０と、撮像素子としてのＣＣＤ（Charge Coupled Device）３０と、レンズドライバ４０と、映像信号処理回路であるアナログ信号処理回路５０と、操作部６０と、表示部７０とを備える。
【００１５】
操作部６０は、制御部１０に接続されたシャッタボタンやスイッチ等で構成され、使用者の入力が可能になっている。
【００１６】
表示部７０は、液晶ディスプレイ等で構成され、撮像した画像を表示したり、使用者の操作を補助する表示を行う。
【００１７】
制御部１０は、ＣＰＵ（Central Processing Unit）によって構成され、制御部１０には、各処理を行うために使用するＤＲＡＭ（Dynamic Random Access Memory）１１と、画像データ等を記憶させるフラッシュメモリ１２とが接続される。又、制御部１０に、ＭＤ（Mini Disc）、ＣＤ−Ｒ（Compact Disc Recordable）等の他のリムーバブルメディア１３を接続して、フラッシュメモリ１２と同様に機能させてもよい。
【００１８】
レンズ２０は、ＣＣＤ３０のセンサ面に光を集光し、画像を結像させる。ＣＣＤ３０に対するレンズ２０の位置調整は、制御部１０からの指示に基づいてレンズドライバ４０が行う。
【００１９】
ＣＣＤ３０は、ＣＣＤで構成され、レンズ２０を介して与えられた撮像画像を光電変換して受光量に応じた量の電荷を画素毎に蓄積し、画素毎のアナログ映像信号を順次出力する。
ＣＣＤ３０の出力端子に、アナログ信号処理回路５０が接続されている。
【００２０】
図２は、アナログ信号処理回路５０の概要を示す構成図である。
アナログ信号処理回路５０は、ＣＣＤ３０から与えられるアナログ映像信号をデジタルの映像信号に変換する回路であり、ＣＣＤ３０に接続された増幅回路５１と、増幅回路５１の出力側に接続されたＯＢクランプ回路５２と、相関二重サンプリング回路（ＣＤＳ）５３と、オートゲインコントロール回路（ＡＧＣ）５４と、アナログデジタル変換回路（ＡＤＣ）５５と、タイミングジェネレータ５６とを、備えている。
【００２１】
増幅回路５１は、ＣＣＤ３０から与えられるアナログ映像信号を電源から与えられるバイアス電流で増幅する。増幅回路５１の出力電流はバイアス電流の電流値に応じて変化する。
ＯＢクランプ回路５２は、増幅回路５１の出力信号に対して、後述のオプティカルブラック（ＯＢ）領域の値を黒の基準値としてクランプする。
【００２２】
相関二重サンプリング回路５３は、ＯＢクランプ回路５２の出力信号をサンプリングしてホールドする２つのサンプルホールド回路（Ｓ．Ｈ）５３ａ，５３ｂを備えている。サンプルホールド回路５３ａは、ＯＢクランプ回路５２の出力信号の電圧を充電してホールドするコンデンサＣａを具備している。サンプルホールド回路５３ｂは、ＯＢクランプ回路５２の出力信号の電圧を充電してホールドするコンデンサＣｂを具備している。コンデンサＣａ，Ｃｂは、ＯＢクランプ回路５２を介した増幅回路５１の出力電流で充電される。
【００２３】
サンプルホールド回路５３ａ，５３ｂの出力端子は、差動増幅器５３ｃの２つの入力端子にそれぞれ接続されている。差動増幅器５３ｃの出力端子がオートゲインコントロール回路５４に接続され、オートゲインコントロール回路５４の出力端子がアナログデジタル変換回路５５に接続されている。アナログデジタル変換回路５５の出力端子が制御部１０に接続されている。
【００２４】
タイミングジェネレータ５６は、サンプルホールド回路５３ａのサンプリングタイミングを示すパルス信号ＤＳ１、サンプルホールド回路５３ｂのサンプリングタイミングを示すパルス信号ＤＳ２を交互に発生させるとともに、ＣＣＤ３０から画素単位の画像データを順次出力させるタイミングを設定するパルス信号ＤＳ３を、制御部１０の制御に基づいて生成する。
【００２５】
次に、撮像画像に対応するアナログ映像信号をデジタル映像信号に変換し、撮像画像をフラッシュメモリ１２に記憶させる動作を説明する。
【００２６】
電子シャッターを切ることにより、撮像対象からの光がレンズ２０を介してＣＣＤ３０のセンサー面に到達し、光の明るさに応じた量の電荷がＣＣＤ３０のセンサー面に画素毎に蓄積される。
【００２７】
図３は、一般的なＣＣＤの画素構造を示す図である。
ＣＣＤ３０のセンサー面は一般的に矩形であるが、その上下左右の縁端部は、Ａｌ（アルミニウム）で遮光された、ＯＢ領域となる。ＣＣＤ３０のセンサー面の中央部は、カラーフィルタが存在する有効画素領域になっている。
【００２８】
図４は、１フィールドのタイミングの概要を示す図である。
１フィールドには、その１フィールドの開始を示すために、画素データをＣＣＤ３０が出力しない垂直帰線期間と、ＣＣＤ３０のセンサー面の下端部側のＯＢ領域の画素データを出力する垂直ＯＢ期間（垂直ＯＢ）と、それぞれ１ライン分の画素データを水平方向へ転送する複数の水平転送期間（１Ｈ，２Ｈ，・・・）と、ＣＣＤ３０がセンサー面の上端部側のＯＢ領域の画素データを出力する垂直ＯＢ期間とが、順に配置される。
【００２９】
各水平転送期間（１Ｈ，２Ｈ，・・・）には、水平帰線期間と、垂直転送期間と、水平ＯＢ期間（水平ＯＢ）と、有効画素データ出力期間（有効画素データ出力）と、水平ＯＢ期間（水平ＯＢ）とが順に配置される。
水平帰線期間は、水平転送期間の開始を示すために画素データをＣＣＤ３０が出力しない期間である。垂直転送期間は、ＣＣＤ３０が出力対象の画素データに相当する電荷を垂直方向に転送し、そのＣＣＤ３０の持つ図示しない水平転送用ＣＣＤに移す期間である。
垂直転送期間に続く水平ＯＢ期間は、ＣＣＤ３０がＣＣＤ３０のセンサー面の左端部側のＯＢ領域の画素データを出力する期間である。有効画素データ出力期間は、水平方向の有効な画素データがＣＣＤ３０から順次出力される期間である。有効画素データ出力期間に続く水平ＯＢ期間は、ＣＣＤ３０がＣＣＤ３０のセンサー面の右端部側のＯＢ領域の画素データを出力する期間である。
【００３０】
このような１フィールドの処理に対して、制御部１０は、タイミングジェネレータ５６に指示を与え、パルス信号ＤＳ１，ＤＳ２，ＤＳ３の発生タイミングを設定する。また、制御部１０は、増幅回路５１に電源から流れるバイアス電流を制御することで、増幅回路５１の出力電流を制御する。
【００３１】
タイミングジェネレータ５６は、垂直帰線期間、水平帰線期間及び垂直転送期間には、制御部１０からの指示に基づいてパルス信号ＤＳ３を発生せず、パルス信号ＤＳ１，ＤＳ２のみを発生する。他の期間にはパルス信号ＤＳ１，ＤＳ２，ＤＳ３を所定のタイミングで発生する。
【００３２】
垂直帰線期間、水平帰線期間及び垂直転送期間には、パルス信号ＤＳ３が与えられないので、ＣＣＤ３０は画素毎のアナログ映像信号を出力しない。
これに対し、垂直ＯＢ期間、水平ＯＢ期間、有効画素データ出力期間にはパルス信号ＤＳ３が与えられるので、ＣＣＤ３０は画素毎のアナログ映像信号を出力する。
【００３３】
図５は、ＣＣＤ３０が出力するアナログ映像信号の波形とパルス信号ＤＳ１，ＤＳ２のタイミングの説明図である。
【００３４】
ＣＣＤ３０が出力する画素毎のアナログ映像信号には、図５のように、画素毎にリセット期間と、フィールド・スルー期間と、信号期間とがある。ＣＣＤ３０の画素に蓄積された電荷の量に応じてアナログ映像信号のフィールド・スルー期間のレベルが信号期間のレベルに変化する。よって、アナログ映像信号のフィールド・スルー期間のレベルと信号期間のレベルとの差が、撮像対象からの光で蓄積された電荷量を示す電圧、即ち、画素データとなる。
【００３５】
制御部１０は、フィールド・スルー期間にサンプルホールド回路５３ａがアナログ映像信号をサンプリングしてホールドするように、タイミングジェネレータ５６に指示を出してパルス信号ＤＳ１を発生させ、信号期間にサンプルホールド回路５３ｂがアナログ映像信号をサンプリングしてホールドするように、タイミングジェネレータ５６に指示を出してパルス信号ＤＳ２を発生させる。
【００３６】
サンプルホールド回路５３ａ，５３ｂで保持された各アナログ映像信号のレベルは、差動増幅器５３ｃで差分が求められ、画素データとなる。
差動増幅器５３ｃで差分が求められた画像データは、オートゲインコントロール回路５４で一定に保たれ、アナログデジタル変換回路５５によってデジタル映像データに変換される。
【００３７】
ここで、有効画素領域の画素データのＳ／Ｎ比は、パルス信号ＤＳ１，ＤＳ２を発生するタイミングに大きく依存する。一方、パルス信号ＤＳ１，ＤＳ２を発生するタイミングは、増幅回路５１に流すバイアス電流に影響を与え、消費電力に影響を与える。
【００３８】
そこで、制御部１０は、垂直帰線期間、水平帰線期間、及び垂直転送期間と、他の期間とで、パルス信号ＤＳ１，ＤＳ２を発生するタイミングを変えている。
制御部１０は、垂直ＯＢ期間、水平ＯＢ期間、有効画素データ出力期間には、ＣＣＤ３０の出力信号のフィールド・スルー期間及び信号期間でＣＣＤ３０の出力信号が最も平坦になるタイミングでサンプルホールド回路５３ａ，５３bがＣＣＤ３０の出力信号をサンプリングするように、パルス信号ＤＳ１，ＤＳ２を発生するタイミングを設定する。これにより、垂直ＯＢ期間、水平ＯＢ期間、有効画素データ出力期間におけるＳ／Ｎ比を向上できる。
【００３９】
制御部１０は、垂直帰線期間、水平帰線期間及び垂直転送期間には、パルス信号ＤＳ１とパルス信号ＤＳ２との間の時間を図５のようにＴ１、そのパルス信号ＤＳ２と次のパルス信号ＤＳ１との間の時間をＴ２とすると、Ｔ１：Ｔ２が１：１となるように、パルス信号ＤＳ１，ＤＳ２を発生するタイミングを設定する。
【００４０】
なぜならば、増幅回路５１のバイアス電流は時間Ｔ１に反比例する。これは、時間Ｔ１が短くなると、サンプルホールド回路５３ｂでサンプルホールドするコンデンサＣｂへの充電時間も短くする必要があるために、増幅回路５１のバイアス電流を増加させてコンデンサＣｂの充電電流となる増幅回路５１の出力電流を増加させる必要があるからである。
同様に、増幅回路５１のバイアス電流は時間Ｔ２にも反比例する。そこで、ＣＣＤ３０の出力信号の周期をＳ（＝Ｔ１＋Ｔ２）とし、増幅回路５１のバイアス電流をＴ１，Ｔ２の関数として表すと、
Ｉ（Ｔ１，Ｔ２）＝Ｋ１／Ｔ１＋Ｋ２／Ｔ２  （Ｋ１，Ｋ２は比例定数）
＝Ｋ１／Ｔ１＋Ｋ２／（Ｓ−Ｔ１）
となる。
【００４１】
Ｉ（Ｔ１，Ｔ２）を微分することにより、Ｔ１＝Ｔ２＝２／ＳのときにＩ（Ｔ１，Ｔ２）が極小値をとることが判明する。
即ち、Ｔ１：Ｔ２が１：１となるように、パルス信号ＤＳ１，ＤＳ２を発生するタイミングを設定し、バイアス電流を減少させることにより、撮像装置の消費電力を低減できる。
【００４２】
制御部１０は、アナログデジタル変換回路５５から与えられたデジタル映像データをＤＲＡＭ１１に蓄積し、不要なデータの除去や圧縮やノイズ除去等の処理を行ったのち、フラッシュメモリ１２に記憶させる。
【００４３】
以上のように、本実施形態のデジタルスチルカメラは、アナログ信号処理回路５０のアナログ信号処理のうちの相関二重サンプリング処理を停止することなく、消費電力を低減できる。
【００４４】
又、本実施形態のデジタルスチルカメラは、アナログ信号処理回路５０に電源から供給するバイアス電流等を遮断して低消費電力を実現するものではないので、バイアス電流等の遮断と供給を繰り返すことにより不安定な動作になることが防止できる。
【００４５】
尚、本発明は、上記実施形態に限定されず、種々の変形や応用が可能である。
（１）上記実施形態では、制御部１０は、垂直帰線期間、水平帰線期間及び垂直転送期間には、Ｔ１：Ｔ２が１：１となるように、パルス信号ＤＳ１，ＤＳ２を発生するタイミングを設定したが、垂直ＯＢ期間及び水平ＯＢ期間もＴ１：Ｔ２が１：１となるように、パルス信号ＤＳ１，ＤＳ２を発生するタイミングを設定してもよい。
Ｔ１：Ｔ２が１：１となるように、パルス信号ＤＳ１，ＤＳ２を発生するタイミングを設定すると、必ずしも、フィールド・スルー期間及び信号期間で最も平坦になるタイミングでサンプルホールド回路５３ａ，５３bがＣＣＤ３０の出力信号をサンプリングすることにはならない。そのため、サンプルホールド回路５３ａ，５３bのホールドする電圧にノイズが含まれる可能性がある。しかしながら、垂直ＯＢ期間及び水平ＯＢ期間のＣＣＤ３０の出力信号は、有効画素の画像データとして用いないのでノイズが含まれても問題はない。よって、垂直ＯＢ期間及び水平ＯＢ期間に、Ｔ１：Ｔ２が１：１となるように、パルス信号ＤＳ１，ＤＳ２を発生するタイミングを設定することにより、ノイズの影響を受けることなく、垂直ＯＢ期間及び水平ＯＢ期間の消費電力を低減できるという効果が得られる。
【００４６】
（２）上記実施形態では、撮像された画像についてＣＣＤ３０から出力されるアナログ映像信号をデジタル映像信号に変換する過程での消費電力を低減している。これに対し、ＣＣＤ３０の垂直転送路にたまったスミア成分や、暗電流によって生じた電荷を強制的に除去するとき（高速掃き出し）、Ｔ１：Ｔ２が１：１となるように、パルス信号ＤＳ１，ＤＳ２を発生するタイミングを設定してもよい。
Ｔ１：Ｔ２が１：１となるように、パルス信号ＤＳ１，ＤＳ２を発生するタイミングを設定すると、必ずしも、フィールド・スルー期間及び信号期間で最も平坦になるタイミングでサンプルホールド回路５３ａ，５３bがＣＣＤ３０の出力信号をサンプリングすることにはならない。そのため、サンプルホールド回路５３ａ，５３bのホールドする電圧にノイズが含まれる可能性がある。しかしながら、高速掃き出しのときのＣＣＤ３０の出力信号は、有効画素の画像データとして用いないのでノイズが含まれても問題はない。よって、高速掃き出しのときに、Ｔ１：Ｔ２が１：１となるように、パルス信号ＤＳ１，ＤＳ２を発生するタイミングを設定することにより、ノイズの影響を受けることなく、高速掃き出し時の消費電力を低減できるという効果が得られる。
【００４７】
（３）シャッタボタンの押下に伴う露光期間に、Ｔ１：Ｔ２が１：１となるように、パルス信号ＤＳ１，ＤＳ２を発生するタイミングを設定してもよい。
Ｔ１：Ｔ２が１：１となるように、パルス信号ＤＳ１，ＤＳ２を発生するタイミングを設定すると、必ずしも、フィールド・スルー期間及び信号期間で最も平坦になるタイミングでサンプルホールド回路５３ａ，５３bがＣＣＤ３０の出力信号をサンプリングすることにはならない。しかしながら、シャッタボタンの押下に伴う露光期間には、ＣＣＤ３０は画素毎のアナログ映像信号を出力をしないので、Ｔ１：Ｔ２が１：１となるように、パルス信号ＤＳ１，ＤＳ２を発生するタイミングを設定しても問題はない。よって、シャッタボタンの押下に伴う露光期間に、Ｔ１：Ｔ２が１：１となるように、パルス信号ＤＳ１，ＤＳ２を発生するタイミングを設定することにより、ノイズの影響を受けることなく、シャッタボタンの押下に伴う露光期間の消費電力を低減できるという効果が得られる。
【００４８】
（４）一般的なデジタルスチルカメラは、ピント合わせが可能な被写体との距離が短く、そのピント合わせ可能な範囲が狭い接写モードと、ピント合わせが可能な被写体との距離が長く、そのピント合わせ可能な範囲が広い自動モードとを有する。例えば接写モードから自動モードに撮影モードを切り替えるときには、ＣＣＤ３０は、切り替えの直前にＣＣＤ３０に蓄積された電荷に対応するアナログ映像信号を出力するが、ここで出力されるアナログ映像信号は、モード切換後の有効画素の画像データとして利用しないものである。よって、接写モードから自動モードに撮影モードを切り替えるときに、Ｔ１：Ｔ２が１：１となるように、パルス信号ＤＳ１，ＤＳ２を発生するタイミングを設定してもよい。
Ｔ１：Ｔ２が１：１となるように、パルス信号ＤＳ１，ＤＳ２を発生するタイミングを設定すると、必ずしも、フィールド・スルー期間及び信号期間で最も平坦になるタイミングでサンプルホールド回路５３ａ，５３bがＣＣＤ３０の出力信号をサンプリングすることにはならない。そのため、サンプルホールド回路５３ａ，５３bのホールドする電圧にノイズが含まれる可能性がある。しかしながら、撮影モードを遷移させるときのＣＣＤ３０の出力信号は、有効画素の画像データとして用いないのでノイズが含まれても問題はない。よって、シャッタボタンの押下に伴う露光期間に、Ｔ１：Ｔ２が１：１となるように、パルス信号ＤＳ１，ＤＳ２を発生するタイミングを設定することにより、ノイズの影響を受けるこなく、撮影モードを遷移させるときの消費電力を低減できるという効果が得られる。
【００４９】
（５）パルス信号ＤＳ１，ＤＳ２を発生するタイミング及び増幅回路５１のバイアス電流を切り替える際に、動作が安定するまでに時間が必要な場合には、その時間を鑑みて、パルス信号ＤＳ１，ＤＳ２を発生するタイミング及び増幅回路５１のバイアス電流を切り替えるタイミングを制御してもよい。例えば、水平ＯＢ期間から有効画素データ出力期間に移行する際に、バイアス電流の切替えタイミングを、相関二重サンプリング回路５３の動作が不安定から安定化するまでの時間だけ、バイアス電流の切替えを早くしてもよい。これにより、パルス信号ＤＳ１，ＤＳ２を発生するタイミング及び増幅回路５１のバイアス電流を切り替えることで相関二重サンプリング回路５３の動作が不安定になることが防止できるという効果が得られる。
【符号の説明】
【００５０】
１０・・・制御部、１１・・・ＤＲＡＭ、１２・・・フラッシュメモリ、１３・・・リムーバブルメディア、２０・・・レンズ、３０・・・ＣＣＤ、４０・・・レンズドライバ、５０・・・アナログ信号処理回路、５１・・・増幅回路、５２・・・ＯＢクランプ回路、５３・・・相関二重サンプリング回路、５３ａ，５３ｂ・・・サンプルホールド回路、５３ｃ・・・差動増幅器、５４・・・オートゲインコントロール回路、５５・・・アナログデジタル変換回路、５６・・・タイミングジェネレータ、６０・・・操作部、７０・・・表示部
【図１】
2011004268.tif 000003
【図２】
2011004268.tif 000004
【図３】
2011004268.tif 000005
【図４】
2011004268.tif 000006
【図５】
2011004268.tif 000007